(57)【要約】【課題】シンプルな形状で製造コストをかけず、かつ、木材同士の接合角度に依存せずに引張力を効率良く伝達して確実に補強する。【解決手段】第１固定金具１１と、第２固定金具１２と、第２固定金具と第１固定金具とを引寄せる引寄せ金具１３とを有し、引寄せ金具１３は、外周面全体に雄ネジ部１３ａ１が形成された全ねじの軸部材１３ａと、その軸部材１３ａの雄ネジ部１３ａ１に螺合する雌ネジ孔１３ｂ１が形成された丸鋼ナット１３ｂとを備え、第２固定金具１２は、一方の木材である第１木材３に固定される背板部１２ａと、その背板部１２ａの両側から起立して設けられた一対の側板部１２ｂ，１２ｂとを有すると共に、その一対の側板部１２ｂ，１２ｂには、それぞれ、丸鋼ナット支持孔１２ｂ１，１２ｂ１が形成され、その丸鋼ナット支持孔１２ｂ１，１２ｂ１には、軸部材１３ａの雄ネジ部１３ａ１に螺合した丸鋼ナット１３ｂが回動可能に設けられる。【選択図】図１
2019090206.tif 000002
【特許請求の範囲】
【請求項１】
接合した木材同士を補強する木造建物用補強金物であって、
ネジやビス、ボルト、釘等の固定具用の固定孔が設けられ、その固定孔に前記固定具を貫通又は打込んで一方の木材に固定される第１固定金具と、
前記固定具用の固定孔が設けられ、その固定孔に前記固定具を貫通又は打込んで他方の木材に固定される第２固定金具と、
前記第１固定金具と前記第２固定金具とに連結され、前記第１固定金具と前記第２固定金具とを引寄せる引寄せ金具とを有し、
前記引寄せ金具は、
少なくとも一端側の外周面に雄ネジ部が形成された軸部材と、その軸部材の雄ネジ部に螺合する雌ネジ孔が形成された丸鋼ナットとを備え、
前記第２固定金具は、
前記固定孔が設けられ、他方の木材に固定される背板部と、
その背板部の両側から起立して設けられた一対の側板部とを有し、
その一対の側板部には、それぞれ、前記丸鋼ナットを回動可能に支持する丸鋼ナット支持孔が形成されていることを特徴とする木造建物用補強金物。
【請求項２】
請求項１記載の木造建物用補強金物において、
前記第２固定金具の一対の側板部は、それぞれ、前記丸鋼ナット支持孔の中心を中心として、前記第１固定金具が前記引寄せ金具の他端を連結した際における前記引寄せ金具の軸部材の中心軸までの高さを半径とした円弧の円弧状輪郭部を有することを特徴とする木造建物用補強金物。
【請求項３】
請求項２記載の木造建物用補強金物において、
前記第２固定金具は、前記背板部と前記一対の側板部の円弧状輪郭部との境界部分にそれぞれ切欠部が形成されていることを特徴とする木造建物用補強金物。
【請求項４】
請求項１〜請求項３のいずれか一の請求項に記載の木造建物用補強金物において、
前記第２固定金具の前記背板部には、他方の木材に仮固定するための仮固定爪が設けられていることを特徴とする木造建物用補強金物。
【請求項５】
請求項１〜請求項４のいずれか一の請求項に記載の木造建物用補強金物を構成する前記第１固定金具は、接合している木材同士の一方の木材に固定される一方、請求項１〜請求項４のいずれか一の請求項に記載の木造建物用補強金物を構成する前記第２固定金具は、接合している木材同士の他方の木材に固定され、前記第１固定金具と前記第２固定金具とに連結された前記引寄せ金具によって前記第１固定金具と前記第２固定金具とを引寄せて前記一方の木材と他方の木材の接合を補強したことを特徴とする木造建物用補強金物を用いた木造建物。
【発明の詳細な説明】
【技術分野】
【０００１】
本発明は、直角で交差する木材同士だけでなく、直角以外の傾斜した角度で交差する木材同士の接合を補強可能な木造建物用補強金物、およびその木造建物用補強金物を用いた木造建物に関するものである。
【背景技術】
【０００２】
直角で交差する木材同士だけでなく、直角以外の傾斜した角度で交差する木材同士の接合を補強可能な木造建物用補強金物として、例えば、第１木軸材と第２木軸材とが所定の傾斜角度を有して結合される軸組構造において、第１木軸材のボルト固定面に固定され、該ボルト固定面と平行な軸線のボルト挿通筒部を有した引き寄せ金物と、軸部材の端に頭部を有し該頭部の反対側に雄ネジ部を有するボルトと雄ネジ部に螺合するナットとを有し、引き寄せ金物のボルト挿通筒部にボルトが貫通し、一端側のナット又は頭部がボルト挿通筒部に当接して抜け止め支持されるボルト部材と、第１木軸材のボルト固定面に連続する第２木軸材の羽根座金固定面に固定され、ボルト部材の他端側の頭部又はナットを支持する羽根座金とを備える木造建物用補強金物が提案されている（例えば、特許文献１参照。）。
【先行技術文献】
【特許文献】
【０００３】
【特許文献１】特許第５９２２７３８号公報
【発明の概要】
【発明が解決しようとする課題】
【０００４】
しかし、上述の特許文献１に記載の従来の木造建物用補強金物では、羽根座金は、羽根座金固定面から異なる高さとなって形成される一対の嵩上げ片と、一対の嵩上げ片の嵩上げ方向先端同士を一体に接続し羽根座金固定面に対して斜めとなる連結板部と、連結板部に穿設され、軸部材の外径よりも若干大きな内径とされて、該軸部材が貫通するボルト貫通穴と、連結板部の裏面に形成され、一対の嵩上げ片間の空間部側に膨らむ湾曲面よりなり、ボルト貫通穴を貫通したボルト部材の他端側の頭部又はナットの座面対向面が当接する座面となる湾曲凸面とを一体的に具備する構造であるため、形状が複雑で、製造コストがかかる、という問題がある。
【０００５】
特に、この従来の木造建物用補強金物では、平面であるボルト頭部又はナットの座面対向面が、羽根座金の湾曲凸面に当接するため、ボルトの軸部の角度によっては、ボルトの軸部の中心線上からズレたボルト頭部又はナットの座面対向面が羽根座金の湾曲凸面に当接するので、ボルトの軸部による引張力を効率良く羽根座金が固定された木材に伝達できないという問題がある。
【０００６】
また、この羽根座金は、ボルト部材が首を振って回動する方向に一対の嵩上げ片が設けられている為、ボルト部材の角度によっては連結板部のボルト貫通穴を貫通したボルト部材頭部が一方の嵩上げ片内側面と干渉する場合があり、傾斜して交差する木材同士の接合を補強できないおそれもある。
【０００７】
さらに、既存の水平用の金物をそのまま利用すると、斜め部分に合わせて木材を大きく座ぼりする必要がある等、木材側の欠損が大きくなったり、金物と木材が極端に近くなる等の不具合が発生する。
【０００８】
そこで、本発明はこのような課題に着目してなされたもので、シンプルな形状で製造コストをかけず、かつ、木材同士の接合角度に依存せずに引張力を効率良く伝達して確実に補強することができる木造建物用補強金物、およびその木造建物用補強金物を用いた木造建物を提供することを目的とする。
【課題を解決するための手段】
【０００９】
上記課題を解決するため、本発明に係る木造建物用補強金物では、接合した木材同士を補強する木造建物用補強金物であって、ネジやビス、ボルト、釘等の固定具用の固定孔が設けられ、その固定孔に前記固定具を貫通又は打込んで一方の木材に固定される第１固定金具と、前記固定具用の固定孔が設けられ、その固定孔に前記固定具を貫通又は打込んで他方の木材に固定される第２固定金具と、前記第１固定金具と前記第２固定金具とに連結され、前記第１固定金具と前記第２固定金具とを引寄せる引寄せ金具とを有し、前記引寄せ金具は、少なくとも一端側の外周面に雄ネジ部が形成された軸部材と、その軸部材の雄ネジ部に螺合する雌ネジ孔が形成された丸鋼ナットとを備え、前記第２固定金具は、前記固定孔が設けられ、他方の木材に固定される背板部と、その背板部の両側から起立して設けられた一対の側板部とを有し、その一対の側板部には、それぞれ、前記丸鋼ナットを回動可能に支持する丸鋼ナット支持孔が形成されていることを特徴とする。
また、本発明に係る木造建物用補強金物では、前記第２固定金具の一対の側板部は、それぞれ、前記丸鋼ナット支持孔の中心を中心として、前記第１固定金具が前記引寄せ金具の他端を連結した際における前記引寄せ金具の軸部材の中心軸までの高さを半径とした円弧の円弧状輪郭部を有することも特徴とする。
また、本発明に係る木造建物用補強金物では、前記第２固定金具は、前記背板部と前記一対の側板部の円弧状輪郭部との境界部分にそれぞれ切欠部が形成されていることも特徴とする。
また、本発明に係る木造建物用補強金物では、前記第２固定金具の前記背板部には、他方の木材に仮固定するための仮固定爪が設けられていることも特徴とする。
また、本発明に係る木造建物では、上述のいずれかの木造建物用補強金物を構成する前記第１固定金具は、接合している木材同士の一方の木材に固定される一方、上述のいずれかの木造建物用補強金物を構成する前記第２固定金具は、接合している木材同士の他方の木材に固定され、前記第１固定金具と前記第２固定金具とに連結された前記引寄せ金具によって前記第１固定金具と前記第２固定金具とを引寄せて前記一方の木材と他方の木材の接合を補強したことを特徴とすることを特徴とする。
【発明の効果】
【００１０】
本発明に係る木造建物用補強金物では、ネジやビス、ボルト、釘等の固定具用の固定孔が設けられ、一方の木材に固定される第１固定金具と、他方の木材に固定される第２固定金具と、第２固定金具と第１固定金具とに連結され、第２固定金具と第１固定金具とを引寄せる引寄せ金具とを有し、引寄せ金具は、少なくとも一端側の外周面に雄ネジ部が形成された軸部材と、その軸部材の雄ネジ部に螺合する雌ネジ孔が形成された丸鋼ナットとを備え、第２固定金具は、固定孔が設けられ、他方の木材に固定される背板部と、その背板部の両側から起立して設けられた一対の側板部とを有し、その一対の側板部には、それぞれ、丸鋼ナットを回動可能に支持する丸鋼ナット支持孔が形成されている。
そのため、本発明に係る木造建物用補強金物によれば、引寄せ金具の軸部材は丸鋼ナットを介して第２固定金具に対し回動可能に連結され、木材同士の接合角度が如何なる場合でも丸鋼ナットの外周面が丸鋼ナット支持孔の内周面に当接するので、シンプルな形状で製造コストをかけず、かつ、木材同士の接合角度に依存せずに引張力を効率良く伝達して確実に補強することができる。
【図面の簡単な説明】
【００１１】
【図１】本発明に係る実施形態の木造建物用補強金物の斜視図である。
【図２】（ａ）〜（ｃ）それぞれ、本発明に係る実施形態の木造建物用補強金物本体を構成する第１固定金具の平面図、正面図、左側面図である。
【図３】（ａ）〜（ｃ）それぞれ、本発明に係る実施形態の木造建物用補強金物本体を構成する引寄せ金具の斜視図、引寄せ金具を構成する丸鋼ナットの平面図、側面図である。
【図４】本発明に係る実施形態の木造建物用補強金物を構成する第２固定金具の斜視図である。
【図５】（ａ），（ｂ）それぞれ、本発明に係る実施形態の木造建物用補強金物を構成する第２固定金具の平面図、正面図である。
【図６】（ａ），（ｂ）それぞれ、本発明に係る実施形態の木造建物用補強金物を構成する第２固定金具の右側面図、左側面図である。
【図７】本発明に係る実施形態の木造建物用補強金物を構成する第２固定金具の展開図である。
【図８】９０°の角度で接合した木材に本発明に係る実施形態の木造建物用補強金物を構成する第１固定金具と第２固定金具をそれぞれ固定した状態を示す図である。
【図９】９０°の角度で接合した木材に本発明に係る実施形態の木造建物用補強金物を構成する第１固定金具と第２固定金具をそれぞれ固定した後、第１固定金具と第２固定金具に引寄せ金具を連結して補強した補強例１の状態を示す図である。
【図１０】６０°の角度で接合した斜め梁の鈍角側に実施形態の木造建物用補強金物を設置して補強した補強例２の状態を示す図である。
【図１１】３０°の角度で接合した斜め梁の鈍角側に実施形態の木造建物用補強金物を用いて補強した補強例３の状態を示す図である。
【図１２】（ａ），（ｂ）それぞれ、６０°の角度と３０°の角度で接合した斜め梁の鋭角側に実施形態の木造建物用補強金物を用いて補強した補強例４，５の状態を示す図である。
【図１３】（ａ），（ｂ）それぞれ、直交して接合した木材に図９とは異なり本発明に係る実施形態の木造建物用補強金物の第２固定金具を９０°回転させて木材に固定して補強した補強例６の状態を示す正面図、底面図である。
【図１４】本発明に係る実施形態の木造建物用補強金物を用いて３０°の勾配に傾斜させた登り梁を補強した補強例７の状態を示す図である。
【図１５】本発明に係る実施形態の木造建物用補強金物を用いて６０°の勾配に傾斜させた登り梁を補強した補強例８の状態を示す図である。
【図１６】本発明に係る実施形態の木造建物用補強金物を用いて６０°勾配に傾斜させた登り梁を補強した補強例９の状態を示す図である。
【図１７】本発明に係る実施形態の木造建物用補強金物を用いて３０°勾配に傾斜させた登り梁を補強した補強例１０の状態を示す図である。
【図１８】（ａ），（ｂ）それぞれ、本発明に係る実施形態の木造建物用補強金物を構成する第２固定金具に仮固定爪を設けた変形例の斜視図、正面図である。
【図１９】（ａ），（ｂ）それぞれ、本発明に係る実施形態の木造建物用補強金物を構成する第２固定金具に仮固定爪を設けた変形例の平面図、右側面図である。
【図２０】本発明に係る実施形態の木造建物用補強金物を構成する引寄せ金具の軸部材と六角ナットの代わりにボルトを用いた変形例の斜視図である。
【図２１】本発明に係る実施形態の木造建物用補強金物を構成する第１固定金具としてホールダウン金具を使用して木材同士の接合を補強した例を示す斜視図である。
【発明を実施するための形態】
【００１２】
以下、本発明に係る実施形態の木造建物用補強金物１およびその木造建物用補強金物１を使用した木造建物について、添付図面を参照しながら詳細に説明する。なお、下記に説明する実施形態は、あくまで、本発明の一例であり、本発明は、下記に説明する実施形態に限定されるものではない。
【００１３】
実施形態の木造建物用補強金物１は、図１〜図７に示すように、一方の木材に固定される第１固定金具１１と、他方の木材に固定される第２固定金具１２と、第１固定金具１１と第２固定金具１２とに連結され、第１固定金具１１と第２固定金具１２とを引寄せる引寄せ金具１３とを備えて構成される。以下、第１固定金具１１、引寄せ金具１３、第２固定金具１２の順に説明する。
【００１４】
＜第１固定金具１１＞
第１固定金具１１は、図１や図２（ａ）〜（ｃ）に示すように、ネジやビス、ボルト、釘等の固定具２を貫通させたり又は打込むための固定孔１１ａ１〜１１ａ３が設けられ、その固定孔１１ａ１〜１１ａ３に固定具２を貫通又は打込んで一方の木材に固定される背板部１１ａと、背板部１１ａの両側の半分程を折曲げて起立させた起立片１１ａ４，１１ａ４に溶接等して設けられ、引寄せ金具１３を構成する後述する軸部材１３ａを通して支持する軸部材支持孔１１ｂ１を有する円筒状軸受け部１１ｂとから構成される。
【００１５】
ここで、円筒状軸受け部１１ｂの軸部材支持孔１１ｂ１の内径Ｒ１（図２（ｃ）参照。）は、引寄せ金具１３の軸部材１３ａの外径Ｒ２（図３（ａ）参照。）より大きく形成されており、例えば、軸部材１３ａの外径Ｒ２を例えば１２ｍｍとすると、軸部材支持孔１１ｂ１の内径Ｒ１は、１４ｍｍ程度とする。
【００１６】
また、背板部１１ａの底面から軸部材支持孔１１ｂ１の中心１１ｂ１ａまでの高さｈ１（図２（ｂ），（ｃ）参照。）は、本実施形態では例えば２２ｍｍとする。
【００１７】
＜引寄せ金具１３＞
引寄せ金具１３は、図３（ａ）に示すように外周面全体に雄ネジ部１３ａ１が形成された全ねじである軸部材１３ａと、その軸部材１３ａの雄ネジ部１３ａ１に螺合する雌ネジ孔１３ｂ１が形成された丸鋼ナット１３ｂと、その軸部材１３ａの雄ネジ部１３ａ１に螺合する雌ネジ孔が形成された六角ナット１３ｃとを備える。
【００１８】
ここで、軸部材１３ａの外径Ｒ２を上述したように例えば１２ｍｍとすると、その軸部材１３ａが雌ネジ孔１３ｂ１に螺合する丸鋼ナット１３ｂの外径Ｒ３は、軸部材１３ａの外径Ｒ２よりも大きく、例えば１９ｍｍとなる。
【００１９】
また、丸鋼ナット１３ｂの長さＬ１は、図１や図３（ａ）に示すように丸鋼ナット１３ｂの雌ネジ孔１３ｂ１に軸部材１３ａが螺合した状態で軸部材１３ａが左右に振れた場合でも、第２固定金具１２の後述する一対の側板部１２ｂ，１２ｂそれぞれに設けられた丸鋼ナット支持孔１２ｂ１，１２ｂ１から丸鋼ナット１３ｂが脱落しないよう、一対の側板部１２ｂ，１２ｂ間の間隔（内幅）Ｌ２（図６参照。）の２０ｍｍよりも約２倍大きく、かつ、後述する図１３〜図１７に示すように第２固定金具１２を９０度回転させて固定した場合でも、丸鋼ナット１３ｂの円形の側面が第１固定金具１１が固定された第１木材３の側面に干渉せずに、引寄せ金具１３の軸部材１３ａが第１木材３とほぼ平行になるよう、第１固定金具１１の軸部材支持孔１１ｂ１の中心１１ｂ１ａまでの高さｈ１の２２ｍｍの２倍の４４ｍｍよりも小さい３８ｍｍとする。
【００２０】
＜第２固定金具１２＞
第２固定金具１２は、図４〜図６に示すように、ネジやビス、ボルト、釘等の固定具２を貫通させたり打込まれる固定孔１２ａ１〜１２ａ５が設けられ、その固定孔１２ａ１〜１２ａ５に固定具２を貫通又は打込んで他方の木材に固定される背板部１２ａと、その背板部１２ａの両側から起立して設けられた一対の側板部１２ｂ，１２ｂとを有する。
【００２１】
一対の側板部１２ｂ，１２ｂには、それぞれ、対向するように引寄せ金具１３の丸鋼ナット１３ｂの外径Ｒ３に応じ、丸鋼ナット１３ｂの１９ｍｍの外径Ｒ３よりも僅かに大きい２０ｍｍの内径Ｒ４（図５（ｂ）参照。）を有する丸鋼ナット支持孔１２ｂ１，１２ｂ１が形成され、その丸鋼ナット支持孔１２ｂ１，１２ｂ１は、丸鋼ナット１３ｂが挿入され、その後丸鋼ナット１３ｂに軸部材１３ａ先端が螺合して連結することによって、丸鋼ナット１３ｂを回動可能、かつ、脱落させずに支持する。
【００２２】
また、一対の側板部１２ｂ，１２ｂは、それぞれ、図５（ｂ）に示すように、正面視、丸鋼ナット支持孔１２ｂ１，１２ｂ１の中心１２ｂ１ａを中心として半径ｒとする円弧の円弧状輪郭部１２ｂ２を有すると共に、その円弧状輪郭部１２ｂ２に連続して背板部１２ａまで斜めに延びる傾斜辺輪郭部１２ｂ３を有するように構成されている。
【００２３】
ここで、円弧状輪郭部１２ｂ２の半径ｒは、第１固定金具１１の背板部１１ａの底面から軸部材支持孔１１ｂ１の中心１１ｂ１ａまでの高さｈ１（図２（ｃ）参照。）と同じ長さである２２ｍｍとし、円弧状輪郭部１２ｂ２の中心角θは、例えば、約１８０°前後の角度とする。
【００２４】
また、第２固定金具１２は、図７に示すような平板状態の背板部１２ａおよび一対の側板部１２ｂ，１２ｂから折曲げ線１２ｃ，１２ｃに沿って背板部１２ａに対し一対の側板部１２ｂ，１２ｂを曲げて起立させるが、その際、側板部１２ｂ，１２ｂの円弧状輪郭部１２ｂ２と背板部１２ａとの境界部分で折曲げられないよう、側板部１２ｂ，１２ｂの円弧状輪郭部１２ｂ２，１２ｂ２と背板部１２ａとの境界部分にそれぞれ切欠部１２ｂ４，１２ｂ４を形成して、側板部１２ｂ，１２ｂ側にも背板部１２ａの短辺と直線的に連続する輪郭部分を設ける。
【００２５】
これにより、折曲げ線１２ｃ，１２ｃは、背板部１２ａの短辺と、その短辺に直線的に連続する側板部１２ｂ，１２ｂの切欠部１２ｂ４との境界部分を通るので、図７に示すような平板状態の背板部１２ａおよび一対の側板部１２ｂ，１２ｂから折曲げ線１２ｃ，１２ｃに沿って背板部１２ａに対し側板部１２ｂ，１２ｂを曲げて起立させても、背板部１２ａとの境界側板部１２ｂ，１２ｂとの境界部分から亀裂等が発生し難くなり、第２固定金物１２の強度や耐久性が向上する。
【００２６】
次に、以上のように構成された実施形態の木造建物用補強金物１の使用方法等について説明する。尚、第１固定金具１１を固定する一方の木材を第１木材３、第２固定金具１２を固定する他方の木材を第２木材４と呼んで説明する。
【００２７】
＜木材同士を垂直に接合した場合（補強例１）＞
図８および図９は、それぞれ、木材同士を垂直に接合した場合に実施形態の木造建物用補強金物１を用いて補強する手順および補強例１を示す図である。
【００２８】
まず、図８に示すように、第１固定金具１１の背板部１１ａを、その固定孔１１ａ１〜１１ａ３それぞれにネジやビス、釘等の固定具２をインパクトドライバー等によって打込んで柱等の第１木材３に固定する一方、第２固定金具１２の背板部１２ａを、その複数の固定孔１２ａ１〜１２ａ５それぞれにビス等の固定具２を同様に打込んで、土台や梁等の第２木材４に固定する。尚、固定具２がボルトの場合、ボルトを第１木材３や第２木材４に貫通させ反対側からナットを螺合して第１固定金具１１や第２固定金具１２に固定する。また、第１木材３および第２木材４には、例えば、仕口加工を施して接合する。
【００２９】
次に、第２木材４に固定した第２固定金具１２における側板部１２ｂ，１２ｂの丸鋼ナット支持孔１２ｂ１，１２ｂ１に引寄せ金具１３を構成する丸鋼ナット１３ｂを通す一方、第１木材３に固定した第１固定金具１１の円筒状軸受け部１１ｂに引寄せ金具１３を構成する軸部材１３ａを通す。尚、第１固定金具１１の円筒状軸受け部１１ｂに軸部材１３ａを通す際、軸部材１３ａには予め六角ナット１３ｃが螺合済みでも良いし、六角ナット１３ｃが螺合していなくても良い。
【００３０】
その後、図９に示すように、第２固定金具１２の丸鋼ナット支持孔１２ｂ１，１２ｂ１に通した丸鋼ナット１３ｂの雌ネジ孔１３ｂ１に、第１固定金具１１の円筒状軸受け部１１ｂに通した軸部材１３ａ先端の雄ネジ部１３ａ１を螺合して軸部材１３ａと丸鋼ナット１３ｂを連結する。その際、丸鋼ナット１３ｂの雌ネジ孔１３ｂ１から軸部材１３ａ先端が僅かに突出しし、第２固定金具１２を第２木材４に固定している固定具２の頭部に当接しない程度に螺合する。尚、軸部材１３ａ先端が固定具２の頭部に当接しても良い。
【００３１】
そして、最後に丸鋼ナット１３ｂとは反対側に螺合している六角ナット１３ｂを締め付けることにより軸部材１３ａに所定の引張力を付与して第１固定金具１１と第２固定金具１２とを引寄せ、第１木材３と第２木材４の接合を補強する。
【００３２】
その際、第２固定金具１２は、一対の側板部１２ｂ，１２ｂそれぞれの円弧状輪郭部１２ｂ２が第１木材３に接触するように第１木材３に近付けて第２木材４に固定すると、第１固定金具１１の円筒状軸受け部１１ｂの軸部材支持孔１１ｂ１の中心１１ｂ１ａまでの高さｈ１が２２ｍｍであり、また、第２固定金具１２の円弧状輪郭部１２ｂ２も丸鋼ナット支持孔１２ｂ１，１２ｂ１の中心１２ｂ１ａを中心として高さｈ１と同じ長さである２２ｍｍを半径ｒとする円弧であるため、軸部材１３ａは第１木材３とほぼ平行になる。
【００３３】
そのため、実施形態の木造建物用補強金物１では、軸部材１３ａが第１木材３とほぼ平行になることにより、第１固定金具１１と第２固定金具１２とを引寄せて第１木材３と第２木材４の接合を補強する際、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００３４】
また、第２固定金具１２は、一対の側板部１２ｂ，１２ｂそれぞれの円弧状輪郭部１２ｂ２が第１木材３に接触するように第１木材３に近付けて第２木材４に固定することにより、第２固定金具１２の背板部１２ａに設けられた固定孔１２ａ１〜１２ａ５が第１木材３と第２木材４の接合部である隅部に近付くので、ビス等の固定具２を第１木材３と第２木材４の接合部である隅部に近付けて打込んだり貫通させることが可能となり、この点でも第１木材３と第２木材４の接合を効果的に補強することができる。
【００３５】
特に、第２固定金具１２では、第２固定金具１２を固定具２で第２木材４に固定した後、丸鋼ナット支持孔１２ｂ１，１２ｂ１に丸鋼ナット１３ｂを入れ込むので、丸鋼ナット１３ｂの真下にもビス等の固定具２を打込んだり貫通させることが可能となり、この点でも第１木材３と第２木材４の接合を効果的に補強することができる。
【００３６】
また、第２固定金具１２の一対の側板部１２ｂ，１２ｂは、図５（ｂ）に示すように、正面視、円弧状輪郭部１２ｂ２と、その円弧状輪郭部１２ｂ２に連続して直線的に背板部１２ａに近付いていく傾斜輪郭部１２ｂ３を有しており、固定孔１２ａ１，１２ａ２両側の側板部１２ｂ，１２ｂの高さよりも固定孔１２ａ３両側の側板部１２ｂ，１２ｂの高さの方が低く、さらに固定孔１２ａ３両側の側板部１２ｂ，１２ｂの高さよりも固定孔１２ａ４，１２ａ５両側の側板部１２ｂ，１２ｂの高さの方が低くなる。
【００３７】
そのため、固定孔１２ａ１，１２ａ２よりも固定孔１２ａ３、また固定孔１２ａ３よりも固定孔１２ａ４，１２ａ５の方がインパクトドライバー等の工具の先端を挿入し易くなり、固定具２を第２木材４に対し打込んだり挿入し易くなると共に、工具の可動域が広くなり、側板部１２ｂ，１２ｂが邪魔にならなくなるので、作業効率を向上させることができる。
【００３８】
＜横架材に対し６０°の角度で斜め梁を固定する場合（補強例２）＞
図１０は、横架材に対し６０°の角度で斜め梁を固定する場合に実施形態の木造建物用補強金物１を用いて補強した補強例２を示す図である。
【００３９】
図１０に示す補強例２は、第１固定金具１１が固定される第１木材３が斜め梁であり、第２固定金具１２が固定される水平梁等の第２木材４に対し６０°の角度で接合しており、木造建物用補強金物１は、１２０°の鈍角側に設置している。尚、木材同士の接合角度を除いて、第１固定金具１１、第２固定金具１２および引寄せ金具１３の連結方法は、図８および図９に示す補強例１の場合と同様である。
【００４０】
そして、図１０に示す補強例２でも、第２固定金具１２の側板部１２ｂ，１２ｂそれぞれの円弧状輪郭部１２ｂ２を第１木材３の側面３ａに接触するように第２木材４に固定すると、軸部材１３ａが６０°に傾斜した第１木材３とほぼ平行になるので、第１固定金具１１と第２固定金具１２とを効率良く引寄せて、第１木材３と第２木材４の接合を効果的に補強することができると共に、第２固定金具１２を固定するネジやビス、ボルト、釘等の固定具２を第１木材３と第２木材４の接合部である隅部に近付けて打込んだり貫通させることが可能になるので、この点でも第１木材３と第２木材４の接合を効果的に補強することができる。
【００４１】
＜横架材に対し３０°の角度で斜め梁を固定する場合（補強例３）＞
図１１は、木材同士を３０°の角度で接合した場合に実施形態の木造建物用補強金物１を用いて補強した補強例３を示す図である。
【００４２】
図１１に示す補強例３は、第１固定金具１１が固定される第１木材３が斜め梁であり、第２固定金具１２が固定される水平梁等の第２木材４に対し３０°の角度で接合しており、木造建物用補強金物１は、１５０°の鈍角側に設置している。尚、木材同士の接合角度を除いて、第１固定金具１１、第２固定金具１２および引寄せ金具１３の連結方法は、図８および図９に示す場合と同様である。
【００４３】
そして、図１１に示す場合でも、第２固定金具１２の側板部１２ｂ，１２ｂそれぞれの円弧状輪郭部１２ｂ２を第１木材３になるべく近付くように第１木材３に近付けて第２木材４に固定することにより、軸部材１３ａが３０°に傾斜した第１木材３と平行になり、第１固定金具１１と第２固定金具１２とを効率良く引寄せて、第１木材３と第２木材４の接合を効果的に補強することができると共に、第２固定金具１２を固定するネジやビス、ボルト、釘等の固定具２を第１木材３と第２木材４の接合部である隅部に近付けて打込んだり貫通させることが可能になるので、この点でも第１木材３と第２木材４の接合を効果的に補強することができる。
【００４４】
＜斜め梁の鋭角側に設ける場合（補強例４，５）＞
尚、図１０に示す補強例２および図１１に示す補強例３では、実施形態の木造建物用補強金物１を斜め梁の補強に使用する場合、木造建物用補強金物１を鈍角側に設けるように説明したが、本発明では、これに限らず、図１２（ａ），（ｂ）に示す補強例４，５のように木造建物用補強金物１を斜め梁の鋭角側に設けることもできる。その際、第２固定金具１２の側板部１２ｂ，１２ｂそれぞれの円弧状輪郭部１２ｂ２が斜め梁である第１木材３に接触するように第１木材３に近付けて第２固定金具１２を第２木材４に固定することにより、軸部材１３ａは第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００４５】
＜木材同士を垂直に接合した場合（補強例６）＞
図１３（ａ），（ｂ）は、それぞれ、木材同士を垂直に接合した場合に実施形態の木造建物用補強金物１を用いて補強した補強例６を示す図である。
【００４６】
この補強例６では、図８および図９に示す補強例１とは異なり、第２固定金具１２は、第２木材４の長手方向に対し、第２固定金具１２の長手方向が直交するように、図８および図９に示す補強例１の第２固定金具１２の固定方向に対し９０度回転させて第２木材４に固定している。
【００４７】
そして、補強例６の場合、図１３（ｂ）に示すように、第２固定金具１２は、一対の側板部１２ｂ，１２ｂそれぞれの円弧状輪郭部１２ｂ２ではなく、丸鋼ナット１３ｂの下側の円形の側面が第１木材３に側面に対向することになるが、第２固定金具１２の背板部１２ａの中心を、第１木材３の側面から２２ｍｍの高さにして第２固定金具１２を第２木材４に固定することにより、引寄せ金具１３の軸部材１３ａが第１木材３と平行になって第２固定金具１２を第２木材４に固定することができる。
【００４８】
そのため、図１３（ａ），（ｂ）に示す補強例６の場合も、図９〜図１２に示す補強例１〜５の場合と同様に、軸部材１３ａが第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００４９】
＜横架材に対し３０°の角度で登り梁を固定する場合（補強例７）＞
図１４は、横架材に対し３０°の角度で登り梁を固定する場合に実施形態の木造建物用補強金物１を用いて補強した補強例７を示す図である。この場合、第１木材３が登り梁である一方、第２木材４が軒桁等となる。
【００５０】
図１４に示す補強例７の場合も、図１３に示す補強例６の場合と同様に、第２木材４の長手方向に対し第２固定金具１２の長手方向が直交するように第２固定金具１２を９０度回転させて第２木材４に固定する。
【００５１】
その際、図１３に示す補強例６の場合と同様に、第２固定金具１２の背板部１２ａの中心を、第１木材３の側面から２２ｍｍの高さにして第２固定金具１２を第２木材４に固定することにより、引寄せ金具１３の軸部材１３ａが第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００５２】
＜横架材に対し６０°の角度で登り梁を固定する場合（補強例８）＞
図１５は、横架材に対し６０°の角度で登り梁を固定する場合に実施形態の木造建物用補強金物１を用いて補強した補強例８を示す図である。この場合、第１木材３が登り梁である一方、第２木材４が軒桁等となる。
【００５３】
図１５に示す補強例８の場合も、図１３に示す補強例６や図１４に示す補強例７の場合と同様に、第２木材４の長手方向に対し第２固定金具１２の長手方向が直交するように第２固定金具１２を９０度回転させて第２木材４に固定する。
【００５４】
そして、図１３に示す補強例６や図１４に示す補強例７の場合と同様に、第２固定金具１２の背板部１２ａの中心を、第１木材３の側面から２２ｍｍの高さにして第２固定金具１２を第２木材４に固定することにより、引寄せ金具１３の軸部材１３ａが第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００５５】
＜横架材に対し６０°の角度で登り梁を固定する場合（補強例９）＞
図１６は、横架材に対し６０°の角度で登り梁を固定する場合に実施形態の木造建物用補強金物１を用いて補強した補強例９を示す図である。この場合、第１木材３が登り梁である一方、第２木材４が棟木等の場合である。
【００５６】
図１６に示す補強例９の場合も、図１３〜図１５に示す補強例６〜８の場合と同様に、第２木材４の長手方向に対し第２固定金具１２の長手方向が直交するように第２固定金具１２を９０度回転させて第２木材４に固定する。
【００５７】
そして、図１３〜図１５に示す補強例６〜８の場合と同様に、第２固定金具１２の背板部１２ａの中心を、第１木材３の側面から２２ｍｍの高さにして第２固定金具１２を第２木材４に固定することにより、引寄せ金具１３の軸部材１３ａが第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００５８】
＜横架材に対し１５°の角度で登り梁を固定する場合（補強例１０）＞
図１７は、横架材に対し１５°の角度で登り梁を固定する場合に実施形態の木造建物用補強金物１を用いて補強した補強例１０を示す図である。
【００５９】
図１７に示す補強例１０の場合も、図１６に示す補強例９の場合と同様に、第１木材３が登り梁である一方、第２木材４が棟木等の場合で、第２木材４の長手方向に対し第２固定金具１２の長手方向が直交するように第２固定金具１２を９０度回転させて第２木材４に固定する。
【００６０】
そして、図１３〜図１６に示す補強例６〜９の場合と同様に、第２固定金具１２の背板部１２ａの中心を、第１木材３の側面から２２ｍｍの高さにして第２固定金具１２を第２木材４に固定することにより、引寄せ金具１３の軸部材１３ａが第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００６１】
以上説明したように、実施形態の木造建物用補強金物１は、第１固定金具１１と、第２固定金具１２と、第２固定金具と第１固定金具とを引寄せる引寄せ金具１３とを有し、引寄せ金具１３は、外周面全体に雄ネジ部１３ａ１が形成された全ねじの軸部材１３ａと、その軸部材１３ａの雄ネジ部１３ａ１に螺合する雌ネジ孔１３ｂ１が形成された丸鋼ナット１３ｂとを備え、第２固定金具１２は、一方の木材である第１木材３に固定される背板部１２ａと、その背板部１２ａの両側から起立して設けられた一対の側板部１２ｂ，１２ｂとを有し、側板部１２ｂ，１２ｂには、それぞれ、丸鋼ナット１３ｂが回動可能に支持する丸鋼ナット支持孔１２ｂ１，１２ｂ１が形成されている
【００６２】
そのため、実施形態の木造建物用補強金物１、および木造建物用補強金物１を用いた木造建物によれば、第１木材３と第２木材４の接合角度が如何なる場合であっても、丸鋼ナット１３ｂの外周面が丸鋼ナット支持孔１２ｂ１，１２ｂ１の内周面に当接するので、シンプルな形状で製造コストをかけず、かつ、第１木材３と第２木材４の接合角度に依存せずに引張力を効率良く伝達して確実に補強することができる。
【００６３】
特に、実施形態の木造建物用補強金物１では、第２固定金具１２の側板部１２ｂ，１２ｂは、それぞれ、１２ｂ１ａを中心として半径ｒとする円弧の円弧状輪郭部１２ｂ２を有し、その半径ｒは第１固定金具１１の円筒状軸受け部１１ｂの軸部材支持孔１１ｂ１の中心１１ｂ１ａまでの高さｈ１と同じ長さに構成している。
【００６４】
そのため、実施形態の木造建物用補強金物１、および木造建物用補強金物１を用いた木造建物によれば、第２固定金具１２の側板部１２ｂ，１２ｂそれぞれの円弧状輪郭部１２ｂ２が第１木材３に接触するように第１木材３に近付けて第２固定金具１２を第２木材４に固定することにより、軸部材１３ａは第１木材３とほぼ平行になるので、軸部材１３ａに作用する引張力を効率良く第１固定金具１１と第２固定金具１２とに伝達して第１木材３と第２木材４とを引寄せ、第１木材３と第２木材４の接合を効果的に補強することができる。
【００６５】
また、実施形態の木造建物用補強金物１では、第２固定金具１２は、図７に示すような平板状態の背板部１２ａおよび一対の側板部１２ｂ，１２ｂから折曲げ線１２ｃ，１２ｃに沿って背板部１２ａに対し一対の側板部１２ｂ，１２ｂを曲げて起立させるが、一対の側板部１２ｂ，１２ｂの円弧状輪郭部１２ｂ２と背板部１２ａとの境界部分にそれぞれ切欠部１２ｂ４，１２ｂ４を設けている。
【００６６】
そのため、実施形態の木造建物用補強金物１では、図７に示すような平板状態の背板部１２ａおよび一対の側板部１２ｂ，１２ｂから折曲げ線１２ｃ，１２ｃに沿って背板部１２ａに対し側板部１２ｂ，１２ｂを曲げて起立させて第２固定金物１２を形成しても、折曲げ線１２ｃ，１２ｃは背板部１２ａの短辺と、その短辺に直線的に連続する側板部１２ｂ，１２ｂの切欠部１２ｂ４との境界部分を通るので、背板部１２ａとの境界側板部１２ｂ，１２ｂとの境界部分から亀裂等が発生し難くなり、第２固定金物１２の強度や耐久性が向上するので、第１木材３と第２木材４を確実に補強することができる。
【００６７】
尚、上記実施形態の木造建物用補強金物１では、第２固定金具１２は、図４〜図６に示すように構成して説明したが、本発明ではこれに限らず、例えば、図１８（ａ），（ｂ）および図１９（ａ），（ｂ）に示すように背板部１２ａに、第２固定金具１２が固定される第２木材４に対し仮固定するための仮固定爪１２ａ６を設けた第２固定金具１２’を使用しても勿論良い。
【００６８】
このようにすると、背板部１２ａの固定孔１２ａ１〜１２ａ５それぞれにネジやビス、ボルト、釘等の固定具２を貫通又は打込んで第２木材４に固定する前に、第２固定金具１２’を仮固定爪１２ａ６で第２木材４に仮固定できるので、作業効率を向上させることができる。
【００６９】
特に、仮固定爪１２ａ６は、先端部に向かって細くなる形状であるため、第２固定金具１２’を仮固定する際にズレが生じ難くなり、第２固定金具１２’の取付け精度を向上させることができる。
【００７０】
また、上記実施形態の木造建物用補強金物１では、引寄せ金具１３は、図１や図３等に示すように全ねじである軸部材１３ａと、丸鋼ナット１３ｂと、六角ナット１３ｃとにより構成して説明したが、本発明では、これに限らず、例えば、図２０に示すように軸部材１３ａと六角ナット１３ｃの代わりに先端部に雄ネジ部１３ａ１’を有すると共に六角の頭部１３ａ２’を有するボルト１３ａ’と丸鋼ナット１３ｂとから構成される引寄せ金具１３’を使用しても勿論良い。
【００７１】
また、上記実施形態の木造建物用補強金物１では、第１固定金具１１は、図１や図２等に示すような背板部１１ａと円筒状軸受け部１１ｂとを備えた羽子板形状の金具で説明したが、本発明では、これに限らず、例えば、図２１に示すような形状の背板部１１ａ’と円筒状軸受け部１１ｂ’とを備えたホールダウン金物と呼ばれる第１固定金具１１’を使用しても勿論良い。
【符号の説明】
【００７２】
１  木造建物用補強金物
１１，１１’  第１固定金物
１１ａ，１１ａ’  背板部
１１ａ１〜１１ａ３  固定孔
１１ａ４，１１ａ４  起立片
１１ｂ，１１ｂ’  円筒状軸受け部
１１ｂ１  軸部材支持孔
１１ｂ１ａ  中心
１２，１２’  第２固定金具
１２ａ  背板部
１２ａ１〜１２ａ５  固定孔
１２ａ６  仮固定爪
１２ｂ，１２ｂ  側板部
１２ｂ１，１２ｂ１  丸鋼ナット支持孔
１２ｂ２  円弧状輪郭部
１２ｂ３  傾斜辺輪郭部
１２ｂ４  切欠部
１３，１３’  引寄せ金具
１３ａ  軸部材
１３ａ１  雄ネジ部
１３ｂ  丸鋼ナット
１３ｂ１  雌ネジ孔
１３ｃ  六角ナット
１３ａ１’  雄ネジ部
１３ａ２’  頭部
１３ａ’  ボルト
２  固定具
３  第１木材（一方の木材）
４  第２木材（他方の木材）
【図１】
2019090206.tif 000003
【図２】
2019090206.tif 000004
【図３】
2019090206.tif 000005
【図４】
2019090206.tif 000006
【図５】
2019090206.tif 000007
【図６】
2019090206.tif 000008
【図７】
2019090206.tif 000009
【図８】
2019090206.tif 000010
【図９】
2019090206.tif 000011
【図１０】
2019090206.tif 000012
【図１１】
2019090206.tif 000013
【図１２】
2019090206.tif 000014
【図１３】
2019090206.tif 000015
【図１４】
2019090206.tif 000016
【図１５】
2019090206.tif 000017
【図１６】
2019090206.tif 000018
【図１７】
2019090206.tif 000019
【図１８】
2019090206.tif 000020
【図１９】
2019090206.tif 000021
【図２０】
2019090206.tif 000022
【図２１】
2019090206.tif 000023